(57)【要約】【課題】低背化を図ることができる回転型入力装置を提供する。【解決手段】回転型入力装置１は、ケース２と、回転体３と、取付金具４と、回路ブロック５と、を備える。前記ケース２は、開口部２０を有する。前記回転体３は、前記ケース２に収容され、前記開口部２０の周囲を回転する。前記取付金具４は、前記回転体３を回転可能にケース２に取り付ける。前記回路ブロック５は、前記ケース２に収容され、前記回転体３の回転量を検知する。前記回転体３の径方向において、前記回転体３の回転軸Ｒに近いほど厚さが薄くなるように構成される。【選択図】図１
2020098431.tif 000002
【特許請求の範囲】
【請求項１】
開口部を有するケースと、
前記ケースに収容され、前記開口部の周囲を回転する回転体と、
前記回転体を回転可能にケースに取り付ける取付金具と、
前記ケースに収容され、前記回転体の回転量を検知する回路ブロックと、を備え、
前記回転体の径方向において、前記回転体の回転軸に近いほど厚さが薄くなるように構成される、
回転型入力装置。
【請求項２】
前記取付金具が、前記ケースの前記開口部にかしめられている、
請求項１に記載の回転型入力装置。
【請求項３】
前記回転体は、前記ケースの前記開口部の周方向に沿うように形成された凹凸面を有し、
前記回転体の前記凹凸面に弾力的に接触する突起を有するばね部材を更に備える、
請求項１又は２に記載の回転型入力装置。
【請求項４】
前記回路ブロックは、前記回転体の径方向において、前記ばね部材よりも外側に位置している、
請求項３に記載の回転型入力装置。
【請求項５】
前記ばね部材が位置する箇所の厚さが、前記回路ブロックが位置する箇所の厚さよりも薄い、
請求項３又は４に記載の回転型入力装置。
【請求項６】
前記回転体は、前記回転体の径方向において、前記取付金具よりも外側に位置し、
前記ばね部材は、前記取付金具と前記ケースとで固定され、
前記ケースは、前記回転体を支持する軸受を有する、
請求項３〜５のいずれか１項に記載の回転型入力装置。
【請求項７】
前記取付金具は、段差を有し、
前記段差は、前記開口部を囲んでいる、
請求項１〜６のいずれか１項に記載の回転型入力装置。
【請求項８】
前記回転体は、つまみが取り付けられるつまみ取付部を有し、
前記つまみ取付部は、前記回転体の径方向において、前記取付金具よりも外側に位置している、
請求項１〜７のいずれか１項に記載の回転型入力装置。
【請求項９】
前記回転体に取り付けられるつまみを更に備える、
請求項８に記載の回転型入力装置。
【請求項１０】
前記つまみの表面は、前記回転体の径方向において、前記回転体の回転軸に近いほど窪むように傾斜している、
請求項９に記載の回転型入力装置。
【請求項１１】
前記回転体の前記つまみ取付部は、前記回転体の径方向の外側に位置し、
前記つまみは、前記つまみ取付部で前記回転体に取り付けられている、
請求項８〜１０のいずれか１項に記載の回転型入力装置。
【請求項１２】
請求項１〜１１のいずれか１項に記載の回転型入力装置と、前記回転型入力装置が装着され、表示部を有する表示装置と、を備え、
前記回転型入力装置の前記開口部の内部に前記表示部が位置する、
表示システム。
【発明の詳細な説明】
【技術分野】
【０００１】
本開示は、一般に回転型入力装置及び表示システムに関し、より詳細には回転体を備える回転型入力装置及び表示システムに関する。
【背景技術】
【０００２】
特許文献１は、回転操作型電子部品を開示する。この回転操作型電子部品は、ケースと、回転体と、金属カバーと、を備える。ケースには、円環状の溝部が形成されている。回転体は、円環状のフランジ部を有する。ケースの溝部内に回転体のフランジ部が収容される。そして金属カバーがケースの溝部を覆っている。回転体は、壁部を含んでいる。壁部は、フランジ部の外周部に形成されている。壁部は、ケースの溝部の開口方向へ突出している。壁部の上面が金属カバーで規制されている。
【先行技術文献】
【特許文献】
【０００３】
【特許文献１】特開２０１６−２０７６５０号公報
【発明の概要】
【発明が解決しようとする課題】
【０００４】
特許文献１の回転操作型電子部品では低背化に限界がある。その理由の１つは、以下のとおりである。
【０００５】
特許文献１の回転操作型電子部品は、操作つまみを含み得る。操作つまみは、操作者によって、回転操作される。特許文献１の回転操作型電子部品では、操作つまみは、回転体の円環状の突出部の上に装着される。具体的には、操作つまみは、突出部の外周側面に結合される。このように、特許文献１の回転操作型電子部品では、操作つまみを装着可能にするために、回転体の突出部の高さを高くしておく必要がある。
【０００６】
以上のような理由から、特許文献１の回転操作型電子部品では低背化に限界がある。
【０００７】
本開示の目的は、低背化を図ることができる回転型入力装置及び表示システムを提供することにある。
【課題を解決するための手段】
【０００８】
本開示の一態様に係る回転型入力装置は、ケースと、回転体と、取付金具と、回路ブロックと、を備える。前記ケースは、開口部を有する。前記回転体は、前記ケースに収容され、前記開口部の周囲を回転する。前記取付金具は、前記回転体を回転可能にケースに取り付ける。前記回路ブロックは、前記ケースに収容され、前記回転体の回転量を検知する。前記回転体の径方向において、前記回転体の回転軸に近いほど厚さが薄くなるように構成される。
【０００９】
本開示の一態様に係る表示システムは、前記回転型入力装置と、表示装置と、を備える。前記表示装置には、前記回転型入力装置が装着される。前記表示装置は、表示部を有する。前記回転型入力装置の前記開口部の内部に前記表示部が位置する。
【発明の効果】
【００１０】
本開示によれば、低背化を図ることができる。
【図面の簡単な説明】
【００１１】
【図１】図１は、本実施形態に係る回転型入力装置を斜め上方から見た斜視図である。
【図２】図２は、同上の回転型入力装置を斜め下方から見た斜視図である。
【図３】図３は、同上の回転型入力装置の分解斜視図である。
【図４】図４は、図１のＡ−Ａ線断面図である。
【図５】図５は、図１のＢ−Ｂ線断面図である。
【図６】図６は、回路ブロックが固定されたケースを上方から見た平面図である。
【図７】図７Ａは、回転体を上方から見た平面図である。図７Ｂは、回転体を下方から見た平面図である。
【図８】図８は、つまみを斜め下方から見た斜視図である。
【図９】図９は、本実施形態に係る表示システムの模式的な斜視図である。
【発明を実施するための形態】
【００１２】
１．概要
上述の特許文献１の回転操作型電子部品では、回転体の外側に金属カバーが位置している。言い換えると、金属カバーの内側に回転体が位置している。このような構成では、回転体に操作つまみを装着する場合には、回転体をある程度高くしておく必要がある。回転体の外周面の一部が金属カバーで隠れているからである。回転体の外周面の、金属カバーで隠れている部分には、操作つまみを装着することはできない。
【００１３】
一方で、特許文献１の回転操作型電子部品では、回転体はその中心に中央孔を含んでいる。しかしながら、上記のように操作つまみを装着するためなどの理由で、回転体を高くすると、中央孔が深くなってしまう。このような場合に、例えば中央孔の底に発光体などを配置すると、中央孔が深いために視野角が狭くなり、外部から発光体を視認しにくくなる。
【００１４】
これに対して、本実施形態に係る回転型入力装置１では、図４及び図５に示すように、回転体３の径方向において、回転体３の回転軸Ｒに近いほど、回転型入力装置１の厚さが薄くなっている（厚さＴ１＜厚さＴ２＜厚さＴ３）。このような構成を実現するための一例として、本実施形態では、回転体３の内側に取付金具４が位置している。言い換えると、取付金具４の外側に回転体３が位置している。
【００１５】
特許文献１の場合とは異なり、取付金具４は、回転体３の外周面を隠していない。そのため、回転体３の高さを低くしても、つまみ７を装着するスペースを確保することができる。逆に言えば、つまみ７を装着できる最小限のスペースを確保できるまで、回転体３の高さを低くすることが可能である。しかも回転体３につまみ７を装着する場合には、取付金具４が障害となるおそれはほぼない。さらに回転体３が低くなるので、開口部２０内を見る場合の視野角が広くなる。図４及び図５で言えば、傾斜角度θがより小さくなる。したがって、開口部２０内の視認性が向上する。
【００１６】
以上のように、本実施形態に係る回転型入力装置１によれば、低背化を図ることができる。これにより小型化も図ることが可能である。
【００１７】
２．詳細
２．１  構成要素
以下、主として回転型入力装置１を構成する個々の要素について、図１〜図７を参照して更に詳細に説明する。なお、説明の便宜上、一部の図面に、相互に直交するＸ軸、Ｙ軸及びＺ軸を図示している。Ｚ軸方向は、回転型入力装置１の厚さ方向である。Ｚ軸の正の向きを上向き（おもて）、負の向きを下向き（うら）とするが、これは、回転型入力装置１を使用する際の方向を限定する趣旨ではない。
【００１８】
図１〜図３に示すように、回転型入力装置１は、ケース２と、回転体３と、取付金具４と、回路ブロック５と、を備える。回転型入力装置１は、ばね部材６を更に備えてもよい。回転型入力装置１は、つまみ７を更に備えてもよい。回転型入力装置１は、例えばロータリエンコーダ及びロータリスイッチなどであるが、これらに限定されない。
【００１９】
まずケース２について説明する。ケース２は環状の部材である。ケース２は、例えば樹脂成形体であり、電気絶縁性を有する。より詳細には、図３に示すように、ケース２は、円環状の本体部２２と、外壁２３（軸受２１）と、内壁２４と、を有する。
【００２０】
ケース２は、開口部２０を有する。開口部２０は、本体部２２の中央において上下方向に貫通している。開口部２０は、上下方向に沿って見ると、本実施形態では円形（平面視円形）であるが、特に限定されない。
【００２１】
本体部２２は、第１面２２ａと、第２面２２ｂと、を有する。第１面２２ａは、ケース２内の面であり、上方を向いている。第２面２２ｂは、ケース２外の面であり、下方を向いている。言い換えると、第２面２２ｂは、回転型入力装置１の底面である。第１面２２ａ及び第２面２２ｂは、本体部２２の表裏を成す。第１面２２ａ及び第２面２２ｂは、上下方向に沿って見ると、円環帯状の面である。
【００２２】
外壁２３は、円筒状であり、本体部２２の外周縁から上方に突出している。外壁２３は、第１面２３ａと、第２面２３ｂと、第３面２３ｃと、を有する（図６参照）。第１面２３ａは、ケース２の外側を向いている。第２面２３ｂは、ケース２の内側を向いている。第１面２３ａ及び第２面２３ｂは、外壁２３の表裏を成す。第３面２３ｃは、外壁２３の先端面であり、上方を向いている。
【００２３】
外壁２３には開口部２５が設けられている。開口部２５には、一対の鉤爪２８が設けられている。開口部２５に隣接して、本体部２２の第１面２２ａに凹所２５０が設けられている。凹所２５０には少なくとも１つのボス２５１（本実施形態では２つ）が設けられている。
【００２４】
外壁２３は、回転体３を支持する軸受２１として機能し得る。すなわち、軸受２１としての外壁２３に回転体３が嵌合している。より詳細には、外壁２３は、第２面２３ｂで側方から回転体３に接して、回転体３を支持する。さらに外壁２３は、第３面２３ｃで下から回転体３に接して、回転体３を支持する（図４及び図５参照）。このように、ケース２は、回転体３を支持する軸受２１を有する。
【００２５】
内壁２４は、円筒状であり、本体部２２の開口部２０の内周縁から上方に突出している。内壁２４と外壁２３とは対向している。内壁２４は、第１面２４ａと、第２面２４ｂと、第３面２４ｃと、を有する（図６参照）。第１面２４ａは、外壁２３に面している。第２面２４ｂは、開口部２０に面している。第３面２４ｃは、内壁２４の先端面であり、上方を向いている。第１面２４ａ及び第２面２４ｂは、内壁２４の表裏を成す。第３面２４ｃの少なくとも１箇所には、凹部２７が設けられている（本実施形態では２箇所）。凹部２７には、ばね部材６の固定部６２が配置される。凹部２７の厚さは、ばね部材６の固定部６２の厚さとほぼ同じである。
【００２６】
ケース２は、少なくとも１つの溝２６（本実施形態では６つ）を有する。具体的には、溝２６は、内壁２４の第２面２４ｂから本体部２２の第２面２２ｂ（回転型入力装置１の底面）にかけて連続して設けられている。溝２６には、取付金具４の結合片４４がかしめられて嵌められる。このように、取付金具４が、ケース２の開口部２０にかしめられている。したがって、取付金具４のケース２への取り付けが容易である。本実施形態では、６つの溝２６は、ケース２の内壁２４にほぼ等間隔で設けられている。
【００２７】
ケース２は、収容空間２９を有する（図４〜図６参照）。収容空間２９は、円環状の空間であり、本体部２２（の第１面２２ａ）、外壁２３（の第２面２３ｂ）、及び内壁２４（の第１面２４ａ）で囲まれた空間である。収容空間２９には、回転体３が収容される。本体部２２の第１面２２ａには段差があり、この段差によって、収容空間２９は、外側空間２９ａと、内側空間２９ｂと、に二分される。外側空間２９ａは、内側空間２９ｂに比べて、一段高い位置にある。
【００２８】
外側空間２９ａは、外壁２３側に位置する円環状の空間である。外側空間２９ａは、回路ブロック５の２つの検知部５１が配置される空間である。さらに外側空間２９ａは、回転体３の遮蔽板３７が移動する空間である。
【００２９】
内側空間２９ｂは、内壁２４側に位置する円環状の空間である。内側空間２９ｂは、ばね部材６の板ばね部６１が配置される空間である。さらに内側空間２９ｂは、回転体３の内向きフランジ部３５が移動する空間である。
【００３０】
外側空間２９ａと内側空間２９ｂとは同心である。いずれの中心も開口部２０の中心である。
【００３１】
次に回転体３について説明する。図７Ａ及び図７Ｂに示すように、回転体３は円環状の部材である。より詳細には、回転体３は、円環状の本体部３２と、外壁３３と、内壁３４と、内向きフランジ部３５と、を有する。回転体３は、つまみ取付部３１を更に有してもよい。回転体３は、ケース２に収容される。回転体３は、ケース２の開口部２０の周囲を回転する。回転体３は、例えば樹脂成形体であり、電気絶縁性を有する。
【００３２】
本体部３２の中央には、円形の貫通孔３６が上下方向に設けられている。貫通孔３６の中心を回転軸Ｒとして、回転体３は回転する。回転体３の貫通孔３６と、ケース２の開口部２０とは同心である。
【００３３】
本体部３２は、第１面３２ａと、第２面３２ｂと、を有する。第１面３２ａは、上方を向いている。第２面３２ｂは、下方を向いている。第１面３２ａ及び第２面３２ｂは、本体部３２の表裏を成す。第１面３２ａ及び第２面３２ｂは、上下方向に沿って見ると、円環帯状の面である。
【００３４】
外壁３３は、円筒状であり、本体部３２の外周縁から上方に突出している。外壁３３は、周方向において、複数に分割されている。本実施形態では、外壁３３は３つにほぼ等分されている。
【００３５】
隣り合う外壁３３同士の間につまみ取付部３１が設けられている。つまみ取付部３１には、つまみ７が取り付けられる。本実施形態では、３つのつまみ取付部３１が、外壁３３の周方向において、ほぼ等間隔に設けられている。各つまみ取付部３１は、径方向の外側に突出する爪３１ａを有する。このように、回転体３のつまみ取付部３１は、回転体３の径方向の外側に位置する。
【００３６】
外壁３３は、ガイド溝３８を有する。ガイド溝３８は、外壁３３の外周面において上下方向に設けられている。本実施形態では、ガイド溝３８は、分割された３つの外壁３３の各々のほぼ中央に設けられている（図７Ａ及び図７Ｂ参照）。
【００３７】
内壁３４は、本体部３２の内周縁から下方に突出している。
【００３８】
内向きフランジ部３５は、内壁３４の下端部から貫通孔３６の中心（回転軸Ｒ）に向かって突出している。このように、内向きフランジ部３５は、径方向において、内壁３４よりも内側に位置している。内向きフランジ部３５の幅はほぼ一定である。貫通孔３６は、内向きフランジ部３５で囲まれている。
【００３９】
図７Ａに示すように、内向きフランジ部３５は、複数の凸部３０ａを有する。複数の凸部３０ａは、内向きフランジ部３５の、ばね部材６と対向する面に設けられている。複数の凸部３０ａは、内向きフランジ部３５の周方向においてほぼ等間隔で並んでいる。複数の凸部３０ａは、内向きフランジ部３５の全周に亘って設けられている。すなわち、内向きフランジ部３５は、周方向において凹凸が繰り返す凹凸面３０を有する。このように、回転体３は、凹凸面３０を有する。凹凸面３０は、ケース２の開口部２０の周方向に沿うように、回転体３に形成されている。
【００４０】
図７Ｂに示すように、回転体３は、複数の遮蔽板３７を有する。各遮蔽板３７は、本体部３２の第２面３２ｂから下方に突出している。各遮蔽板３７は、径方向において、内壁３４よりも外側に位置している。複数の遮蔽板３７は、周方向においてほぼ等間隔で並んでいる。複数の遮蔽板３７は、本体部３２の全周に亘って設けられている。
【００４１】
次に取付金具４について説明する。取付金具４は、回転体３を回転可能にケース２に取り付けるための金具である。取付金具４は、例えば鋼板を絞り加工することによって形成される。取付金具４は、本体部４１と、内向きフランジ部４２と、外向きフランジ部４３と、複数の結合片４４（本実施形態では６つ）と、を有する（図３参照）。
【００４２】
本体部４１は、貫通孔４５を有する筒状の部材である。貫通孔４５の内径は、本体部４１の上方から下方にかけて次第に減少している。
【００４３】
内向きフランジ部４２は、本体部４１の下端縁から、貫通孔４５の中心に向かって突出している。内向きフランジ部４２の幅はほぼ一定である。
【００４４】
外向きフランジ部４３は、本体部４１の上端縁から、貫通孔４５の中心から離れる向きに突出している。外向きフランジ部４３の幅はほぼ一定である。
【００４５】
内向きフランジ部４２と外向きフランジ部４３とはほぼ平行である。本体部４１と、内向きフランジ部４２と、外向きフランジ部４３とで段差４０が形成される。このように、取付金具４は、段差４０を有する。段差４０は、回転型入力装置１において、ケース２の開口部２０を囲んでいる。言い換えると、段差４０は、取付金具４の全周にわたって連続して存在している。そのため、取付金具４の強度が向上する。
【００４６】
取付金具４の段差４０は、径方向において、内側よりも外側の方が高くなるように存在している（図４及び図５参照）。具体的な段差の大きさは、図４及び図５で言えば、厚さＴ２と厚さＴ１との差であるが、本実施形態では、このような差が存在するため、この差の分だけ回転体３の厚さを十分に確保することができる。したがって、回転体３を成形するのに用いられる樹脂の選択の自由度が上がる。つまり、回転体３の厚さを十分に確保することができるので、硬い樹脂はもちろん、それほど硬くない樹脂でも使用できる可能性が生じる。もし段差４０がなければ（つまり、厚さＴ１＝厚さＴ２）、回転体３の厚さがその分薄くなるので、回転体３の強度を確保するためには、より硬い樹脂を使用しなければならない可能性が生じる。
【００４７】
複数の結合片４４は、ケース２の溝２６にかしめられて嵌められる部位である。複数の結合片４４は、内向きフランジ部４２の内周縁から下方に突出している。複数の結合片４４は、本体部４１の周方向においてほぼ等間隔で並んでいる。
【００４８】
なお、取付金具４をケース２に固定する前は、各結合片４４は真っ直ぐな状態であるが、取付金具４をケース２に固定した後は、各結合片４４はＬ字状に曲がった状態となる。図３は後者の状態を図示している。
【００４９】
次に回路ブロック５について説明する。回路ブロック５は、回転体３の回転量を検知する。回路ブロック５は、ケース２に収容される。回路ブロック５は、フレキシブルプリント配線板５０と、２つの検知部５１と、を有する。
【００５０】
フレキシブルプリント配線板５０は、本体部５２と、延出部５３と、を有する。本体部５２には、少なくとも１つの貫通孔５４（本実施形態では２つ）が設けられている。図６に示すように、本体部５２の貫通孔５４にケース２のボス２５１が挿通されて、熱カシメによりケース２の内部に本体部５２が固定される。さらに本体部５２は、ケース２の鉤爪２８でケース２に固定される。延出部５３は、ケース２の開口部２５を通して、本体部５２からケース２の外部に引き出される。このように、回路ブロック５の一部（本体部５２）は、ケース２の内側に収容され、回路ブロック５の残りの部分（延出部５３）は、ケース２の外側に引き出される。
【００５１】
本体部５２には２つの検知部５１が設けられている。２つの検知部５１は、光電センサである。光電センサの具体例としてフォトインタラプタが挙げられる。より詳細には、２つの検知部５１は、スリット５１ａを介して対向する発光部と受光部とを有する。図６に示すように、仮想的な円周Ｃとスリット５１ａとが重なるように、２つの検知部５１がケース２に設けられる。円周Ｃは、回転体３の遮蔽板３７（図７Ｂ参照）が通過する通路である。回転体３の遮蔽板３７がスリット５１ａを通過して、発光部から受光部への光が遮られることで、検知部５１は、回転体３の回転を検知する。２つの検知部５１を有することで、回転体３の回転の向き及び回転量を検知することが可能となる。回転の向きには、時計回り及び反時計回りの両方が含まれる。このように、回路ブロック５は、回転体３の回転量を検知する。
【００５２】
延出部５３は、本体部５２から延出している。延出部５３は、ケース２の開口部２５を通って、ケース２の内部から外部に引き出されている。２つの検知部５１から、延出部５３の先端である端子部５５まで配線（図示省略）が形成されている。延出部５３の長さは特に限定されない。延出部５３は、必要に応じて曲がっていてもよい。
【００５３】
次にばね部材６について説明する。本実施形態では、図３に示すように、回転型入力装置１は、ばね部材６を有する。ばね部材６は、使用者が回転体３を回転させたときなどにクリック感（節度感）を得ることを可能とする部材である。ばね部材６は、板ばね部６１と、少なくとも１つの突起６０と、少なくとも１つの固定部６２（本実施形態では２つ）と、を有する（図３参照）。
【００５４】
板ばね部６１は、円環状の部材である。回転型入力装置１において、板ばね部６１は、上下方向に沿って見ると、回転体３の内向きフランジ部３５の凹凸面３０に重なっている。
【００５５】
突起６０は、板ばね部６１と一体である。突起６０は、回転体３の内向きフランジ部３５に向かって、Ｕ字状に突出している。突起６０は、回転体３の内向きフランジ部３５における凹凸面３０の複数の凸部３０ａのうち、隣り合う２つの凸部３０ａの間の各々に出入り可能である。突起６０は、回転体３の凹凸面３０に弾力的に接触している。回転体３を回転させると、回転体３の回転に伴ってクリック感が得られる。
【００５６】
固定部６２は、板ばね部６１と一体である。固定部６２は、ケース２の内壁２４の凹部２７に配置される。そして、固定部６２は、ケース２の内壁２４と、取付金具４の内向きフランジ部４２とで挟み込まれて固定される。つまり、ばね部材６は、取付金具４とケース２とで固定される（図４参照）。
【００５７】
次につまみ７について説明する。つまみ７は、回転体３に取り付けられる。つまみ７を回転体３に取り付けると、回転体３の操作が行いやすい。
【００５８】
つまみ７は、例えば樹脂成形体であり、電気絶縁性を有する。図３に示すように、つまみ７は環状の部材である。より詳細には、つまみ７は、円形の貫通孔７３を有する。つまみ７は、円環状の本体部７０と、外壁７１と、内壁７２と、を有する。
【００５９】
本体部７０の外表面は、回転軸Ｒに近いほど窪むように傾斜している（図４及び図５参照）。このように、つまみ７の表面は、回転体３の径方向において、回転体３の回転軸Ｒに近いほど窪むように傾斜している。このようにして、回転型入力装置１の開口部２０を見る場合の視野角を広くすることが可能である。なお、本体部７０の外表面は、平坦面又は凸曲面のいずれでもよい。
【００６０】
本体部７０の外表面が平坦面である場合、本体部７０の外表面と、回転型入力装置１の底面とのなす角度（つまり傾斜角度θ）はほぼ一定である。この場合の傾斜角度θは３０°以上６０°以下の範囲であることが好ましい。
【００６１】
本体部７０の外表面が凸曲面の場合、回転軸Ｒに近いほど本体部７０の外表面の曲率半径は小さくなるのが好ましい。逆に言えば、回転軸Ｒから遠ざかるほど本体部７０の外表面の曲率半径は大きくなるのが好ましい。本体部７０の外表面が凸曲面の場合、傾斜角度θは一定ではないが、この場合には、傾斜角度θの最大値は３０°以上６０°以下の範囲であることが好ましい。
【００６２】
外壁７１は、本体部７０の外周縁から下方に突出している。内壁７２は、本体部７０の内周縁から下方に突出している。貫通孔７３は、内壁７２で囲まれて形成されている。
【００６３】
つまみ７は、複数の爪引掛け部７４（本実施形態では３つ）を有する（図８参照）。複数の爪引掛け部７４は、外壁７１の内周面に沿ってほぼ等間隔に設けられている。各爪引掛け部７４には窪み７４ａが設けられている。つまみ７を回転体３に取り付ける場合には、回転体３のつまみ取付部３１の爪３１ａが、つまみ７の爪引掛け部７４の窪み７４ａに引っ掛かる。このように、つまみ７は、回転体３のつまみ取付部３１で回転体３に取り付けられる。
【００６４】
つまみ７は、複数のガイド突起７５（本実施形態では３つ）を有する（図８参照）。複数のガイド突起７５は、外壁７１の内周面に沿ってほぼ等間隔に設けられている。つまみ７を回転体３に取り付ける場合には、つまみ７のガイド突起７５が、回転体３のガイド溝３８にガイドされながら上方から下方へスライドして嵌め込まれる。
【００６５】
２．２  全体構成
以下、回転型入力装置１の全体的な構成について、更に詳細に説明する。
【００６６】
本実施形態に係る回転型入力装置１では、図４及び図５に示すように、回転体３の径方向において、回転体３の回転軸Ｒに近いほど、回転型入力装置１の厚さが薄くなっている（厚さＴ１＜厚さＴ２＜厚さＴ３）。
【００６７】
このような構成を実現するための一例として、本実施形態では、回転体３は、回転体３の径方向において、取付金具４よりも外側に位置する。言い換えると、取付金具４は、回転体３の径方向において、回転体３よりも内側に位置する。このように、取付金具４は、回転体３の外周面を隠していない。そのため、回転体３の高さを低くしても、つまみ７を装着するスペースを確保することができる。逆に言えば、つまみ７を装着できる最小限のスペースを確保できるまで、回転体３の高さを低くすることが可能である。図４及び図５で言えば、厚さＴ３を薄くすることが可能である。したがって、本実施形態に係る回転型入力装置１によれば、低背化を図ることができる。これにより小型化を図ることも可能である。例えば回転型入力装置１の外径を小さくできる。
【００６８】
また図５に示すように、回路ブロック５は、回転体３の径方向において、ばね部材６よりも外側に位置している。このように、回路ブロック５とばね部材６とは、上下方向に重なっていないので、回転型入力装置１の低背化を図ることができる。
【００６９】
また図４及び図５に示すように、ばね部材６が位置する箇所の厚さＴ２が、回路ブロック５が位置する箇所の厚さＴ３よりも薄い。ここで、ばね部材６が位置する箇所は、内側空間２９ｂが存在する箇所である。回路ブロック５が位置する箇所は、外側空間２９ａが存在する箇所である。このように、外側から内側に向かって高さが低くなることで、回転型入力装置１の低背化を図ることができる。
【００７０】
さらに回転体３は、つまみ取付部３１を有するので、必要に応じてつまみ７を取り付けることが可能である。この場合、つまみ取付部３１は、回転体３の径方向において、取付金具４よりも外側に位置している。したがって、回転体３につまみ７を装着する場合には、取付金具４が障害となるおそれはほぼない。回転型入力装置１を側方から見た場合に、つまみ取付部３１と取付金具４とが重なっていてもよい。取付金具４は、回転体３の内側に存在するので、回転体３の外側に位置するつまみ取付部３１に特に支障なくつまみ７を取り付けることが可能である。
【００７１】
さらに回転体３を低くすることができるので、開口部２０内を見る場合の視野角が広くなる。図４及び図５で言えば、傾斜角度θがより小さくなる。したがって、開口部２０内の視認性が向上する。
【００７２】
２．３  組み立て
次に、回転型入力装置１の組み立て方法について説明する。
【００７３】
まずケース２に回路ブロック５を固定する。具体的には、ケース２の凹所２５０に回路ブロック５の本体部５２を配置するとともに、本体部５２の貫通孔５４にケース２のボス２５１を挿入する。そして、熱カシメなどによりボス２５１の先端を熱変形させて、回路ブロック５をケース２に固定する（図６参照）。
【００７４】
次に、ケース２の収容空間２９に回転体３を収容し、ケース２の内壁２４の凹部２７にばね部材６の固定部６２を配置した後、ケース２の開口部２０に上方から取付金具４の結合片４４を挿入する。そして結合片４４をケース２の溝２６にかしめて嵌める。すなわち、結合片４４の一部を内壁２４の溝２６に嵌め、この状態で結合片４４の先端を含む残りの部分を、本体部２２の第２面２２ｂの溝２６に嵌めるようにＬ字状に曲げることによって、取付金具４をケース２に固定することができる。
【００７５】
その結果、図１に示す回転型入力装置１が組み立てられる。
【００７６】
ここで、取付金具４は、回転体３を回転可能にケース２に取り付けている。取付金具４の外向きフランジ部４３が、回転体３の本体部３２を上から押さえている（図４及び図５参照）。さらにケース２の外壁２３が回転体３の外壁３３を下から支えている。取付金具４は、回転体３の周方向への動きは規制していない。したがって、回転体３は、浮き上がらないように取付金具４で押さえられながら、ケース２の外壁２３上を摺動して回転することが可能である。
【００７７】
さらにばね部材６は、ケース２と取付金具４とで挟み込まれて固定されている。具体的には、ばね部材６の固定部６２は、ケース２の内壁２４と、取付金具４の内向きフランジ部４２とで挟み込まれて固定されている（図４及び図５参照）。ばね部材６の突起６０は、回転体３の凹凸面３０に弾力的に接触しているが、上記のようにばね部材６は固定されていることにより、回転体３が回転してもばね部材６の浮き上がりが抑制され、クリック感が得られる。
【００７８】
回転型入力装置１には、必要に応じてさらにつまみ７を取り付けることが可能である。具体的には、つまみ７のガイド突起７５を回転体３のガイド溝３８に嵌めるとともに、つまみ７の爪引掛け部７４の窪み７４ａに、回転体３のつまみ取付部３１の爪３１ａを引っ掛ける。
【００７９】
ここで、ケース２の内壁２４の溝２６に嵌まっており、内壁２４の第２面２４ｂから突出していない。したがって、取付金具４の結合片４４は、つまみ７を取り付ける際の障害になりにくい。
【００８０】
つまみ７を回転させる場合、つまみ７のガイド突起７５が回転体３のガイド溝３８に嵌まっているので、つまみ７にかかるトルクを、より精度よく回転体３に伝えることができる。
【００８１】
２．４  動作
次に、回転型入力装置１の動作について説明する。なお、つまみ７が取り付けられている場合の動作の一例である。
【００８２】
使用者がつまみ７を回転させると、回転体３が回転し、回転体３の遮蔽板３７が、ケース内の円周Ｃ上を移動する（図６参照）。これにより遮蔽板３７が、検知部５１のスリット５１ａを通過して、回転体３の回転量を検知する。回転型入力装置１は、２つの検知部５１を有するので、回転体３の回転の向き（時計回り又は反時計回り）も検知可能である。回転体３の回転時には、ばね部材６の突起６０により、使用者にはクリック感が得られる。
【００８３】
２．５  用途
本実施形態に係る回転型入力装置１の用途は特に限定されないが、例えば表示システム１０に利用可能である。図９は、本実施形態に係る表示システム１０の模式的な斜視図である。
【００８４】
表示システム１０は、回転型入力装置１と、表示装置８と、を備える。回転型入力装置１は、上述のとおりである。表示装置８としては、特に限定されないが、例えばタッチパネルが挙げられる。表示装置８は、操作検知回路８００を有する。
【００８５】
表示装置８には、回転型入力装置１が装着される。装着に際して、例えば両面テープ９が使用可能である（図３参照）。両面テープ９の形状は、例えばケース２の本体部２２とほぼ同じ形状の円環帯状であるが、この形状には限定されない。このように、両面テープ９で回転型入力装置１を表示装置８に固定することが可能である。回転型入力装置１と、操作検知回路８００とは、回路ブロック５のフレキシブルプリント配線板５０によって電気的に接続されている。
【００８６】
操作検知回路８００は、使用者が回転型入力装置１に対して行った回転操作入力を検知する。具体的には、操作検知回路８００は、回転操作入力による回転体３の回転方向（向き）、回転角度、回転移動速度等を検知する。操作検知回路８００は、例えば、プロセッサ及びメモリを有するマイクロコンピュータで構成される。つまり、操作検知回路８００は、プロセッサ及びメモリを有するコンピュータシステムで実現される。そして、プロセッサが適宜のプログラムを実行することにより、コンピュータシステムが操作検知回路８００として機能する。プログラムは、メモリに予め記録されていてもよいし、インターネット等の電気通信回線を通じて、又はメモリカード等の非一時的な記録媒体に記録されて提供されてもよい。
【００８７】
表示装置８は、表示部８０を有する。表示部８０は、画像（静止画及び動画）、文字及び記号などを表示するが、表示されるものは特に限定されない。回転型入力装置１の開口部２０の内部に表示部８０が位置する。回転型入力装置１の開口部２０を通して、表示部８０を視認することができる。
【００８８】
回転型入力装置１については、開口部２０内を見る場合の視野角が広い。言い換えると、回転型入力装置１をその周囲のどの方向から見ても、開口部２０内に存在する表示部８０が見やすい。つまり、開口部２０内の視認性が向上する。そのため、特に表示システム１０は、車載用途などに好適である。すなわち、回転型入力装置１の開口部２０内の表示部８０が見やすいので、回転型入力装置１に対する回転操作入力が、運転の妨げにはなりにくい。さらに表示装置８がタッチパネルである場合、タッチパネルに直接触れて操作する場合に比べて、回転型入力装置１で操作する場合の方が、操作が有効であることを、使用者が直感的に把握しやすい。
【００８９】
３．変形例
上記実施形態では、検知部５１に光電センサ（フォトインタラプタ）が使用されているが、接点ブラシでもよい。
【００９０】
上記実施形態では、つまみ７は貫通孔７３を有するが、つまみ７は非貫通孔を有していてもよい。さらに貫通孔７３又は非貫通孔は、指の形にフィットするような形状を有しているのが好ましい。これにより、つまみ７の外周をつまんで操作しなくても、指１本だけでつまみ７の操作が可能となり得る。
【００９１】
上記実施形態では、回転型入力装置１がプッシュスイッチを更に備えていてもよい。
【００９２】
４．まとめ
上記実施形態及び変形例から明らかなように、本開示は、下記の態様を含む。以下では、実施形態との対応関係を明示するためだけに、符号を括弧付きで付している。
【００９３】
第１の態様に係る回転型入力装置（１）は、ケース（２）と、回転体（３）と、取付金具（４）と、回路ブロック（５）と、を備える。前記ケース（２）は、開口部（２０）を有する。前記回転体（３）は、前記ケース（２）に収容され、前記開口部（２０）の周囲を回転する。前記取付金具（４）は、前記回転体（３）を回転可能にケース（２）に取り付ける。前記回路ブロック（５）は、前記ケース（２）に収容され、前記回転体（３）の回転量を検知する。前記回転体（３）の径方向において、前記回転体（３）の回転軸（Ｒ）に近いほど厚さが薄くなるように構成される。
【００９４】
この態様によれば、低背化を図ることができる。
【００９５】
第２の態様に係る回転型入力装置（１）では、第１の態様において、前記取付金具（４）が、前記ケース（２）の前記開口部（２０）にかしめられている。
【００９６】
この態様によれば、取付金具（４）のケース（２）への取り付けが容易である。
【００９７】
第３の態様に係る回転型入力装置（１）では、第１又は２の態様において、前記回転体（３）は、凹凸面（３０）を有する。前記凹凸面（３０）は、前記ケース（２）の前記開口部（２０）の周方向に沿うように形成されている。前記回転型入力装置（１）は、ばね部材（６）を更に備える。前記ばね部材（６）は、突起（６０）を有する。前記突起（６０）は、前記回転体（３）の前記凹凸面（３０）に弾力的に接触する。
【００９８】
この態様によれば、回転体（３）の回転に伴ってクリック感が得られる。
【００９９】
第４の態様に係る回転型入力装置（１）では、第３の態様において、前記回路ブロック（５）は、前記回転体（３）の径方向において、前記ばね部材（６）よりも外側に位置している。
【０１００】
この態様によれば、低背化を図ることができる。
【０１０１】
第５の態様に係る回転型入力装置（１）では、第３又は４の態様において、前記ばね部材（６）が位置する箇所の厚さが、前記回路ブロック（５）が位置する箇所の厚さよりも薄い。
【０１０２】
この態様によれば、低背化を図ることができる。
【０１０３】
第６の態様に係る回転型入力装置（１）では、第３〜５のいずれかの態様において、前記回転体（３）は、前記回転体（３）の径方向において、前記取付金具（４）よりも外側に位置する。前記ばね部材（６）は、前記取付金具（４）と前記ケース（２）とで固定される。前記ケース（２）は、前記回転体（３）を支持する軸受（２１）を有する。
【０１０４】
この態様によれば、低背化を図ることができる。
【０１０５】
第７の態様に係る回転型入力装置（１）では、第１〜６のいずれかの態様において、前記取付金具（４）は、段差（４０）を有する。前記段差（４０）は、前記開口部（２０）を囲んでいる。
【０１０６】
この態様によれば、取付金具（４）の強度が向上する。
【０１０７】
第８の態様に係る回転型入力装置（１）では、第１〜７のいずれかの態様において、前記回転体（３）は、つまみ取付部（３１）を有する。前記つまみ取付部（３１）には、つまみ（７）が取り付けられる。前記つまみ取付部（３１）は、前記回転体（３）の径方向において、前記取付金具（４）よりも外側に位置している。
【０１０８】
この態様によれば、必要に応じてつまみ（７）を取り付けることが可能である。
【０１０９】
第９の態様に係る回転型入力装置（１）では、第８の態様において、前記回転体（３）に取り付けられるつまみ（７）を更に備える。
【０１１０】
この態様によれば、回転体（３）の操作が行いやすい。
【０１１１】
第１０の態様に係る回転型入力装置（１）では、第９の態様において、前記つまみ（７）の表面は、前記回転体（３）の径方向において、前記回転体（３）の回転軸（Ｒ）に近いほど窪むように傾斜している。
【０１１２】
この態様によれば、開口部（２０）を見る場合の視野角を広くすることが可能である。
【０１１３】
第１１の態様に係る回転型入力装置（１）では、第８〜１０のいずれかの態様において、前記回転体（３）の前記つまみ取付部（３１）は、前記回転体（３）の径方向の外側に位置する。前記つまみ（７）は、前記つまみ取付部（３１）で前記回転体（３）に取り付けられている。
【０１１４】
この態様によれば、低背化を図ることができる。
【０１１５】
第１２の態様に係る表示システム（１０）は、第１〜１１のいずれかの態様に係る回転型入力装置（１）と、表示装置（８）と、を備える。前記表示装置（８）には、前記回転型入力装置（１）が装着される。前記表示装置（８）は、表示部（８０）を有する。前記回転型入力装置（１）の前記開口部（２０）の内部に前記表示部（８０）が位置する。
【０１１６】
この態様によれば、車載用途などに好適である。
【符号の説明】
【０１１７】
１  回転型入力装置
１０  表示システム
２  ケース
２０  開口部
２１  軸受
３  回転体
３０  凹凸面
３１  つまみ取付部
４  取付金具
４０  段差
５  回路ブロック
６  ばね部材
６０  突起
７  つまみ
８  表示装置
８０  表示部
Ｒ  回転軸
【図１】
2020098431.tif 000003
【図２】
2020098431.tif 000004
【図３】
2020098431.tif 000005
【図４】
2020098431.tif 000006
【図５】
2020098431.tif 000007
【図６】
2020098431.tif 000008
【図７】
2020098431.tif 000009
【図８】
2020098431.tif 000010
【図９】
2020098431.tif 000011